【手続補正書】
【提出日】平成18年8月11日(2006.8.11)
【手続補正１】
【補正対象書類名】特許請求の範囲
【補正対象項目名】全文
【補正方法】変更
【補正の内容】
【特許請求の範囲】
【請求項１】
アンカリングを壊すことを含む双安定性のネマティック液晶マトリクス・スクリーン（５８）を備えるディスプレイ・デバイスであって、前記ディスプレイ・デバイスは、前記マトリクス・スクリーンの各画素に対する制御信号を生成しかつ印加するのに適したアドレス指定手段（５６）を含み、
前記制御信号は、０．１Ｖ／μｓから０．００５Ｖ／μｓの範囲にある勾配を呈する傾斜して立ち上がるエッジ（Ｆｍ）を有し、かつ前記立ち上がりエッジ（Ｆｍ）が３００μｓより長い持続期間τＲを呈することを特徴とするデバイス。
【請求項２】
ディスプレイ・デバイスが、２つの組織を使用し、一方の組織は、分子が少なくとも実質的に互いに平行である均一またはわずかにねじれており、他方の組織は、プラスまたはマイナス１８０°の程度のねじれだけ一方の組織と異なることを特徴とする請求項１に記載のデバイス。
【請求項３】
前記アドレス指定手段（５６）は、２つの段階を含む信号を生成するように適合され、第１の段階がアンカリングを壊すためであり、第２の段階が選択する目的であることを特徴とする請求項１または２に記載のデバイス。
【請求項４】
均一な組織を得るために、前記アドレス指定手段（５６）は、信号を生成するために適合され、前記信号は、前記選択段階の前記降下エッジにおける２つの連続するレベル間の前記低下が、限界閾値ΔＶを超えず、一方、ねじれた組織を得るために、前記降下エッジが、前記限界閾値ΔＶより大きな少なくとも１つの急な低下を含むことを特徴とする請求項３に記載のデバイス。
【請求項５】
前記立ち上がりエッジ（Ｆｍ）が、３００μｓから２０ｍｓ、好ましくは３００μｓから４ｍｓの持続期間τＲを呈することを特徴とする請求項１から４のいずれか一項に記載のデバイス。
【請求項６】
前記アドレス指定および制御信号は、アンカリングを壊す段階の終わりで傾斜する降下エッジ（Ｆｄ）も有することを特徴とする請求項１から５のいずれか一項に記載のデバイス。
【請求項７】
前記降下エッジ（Ｆｄ）の前記勾配は、前記立ち上がりエッジ（Ｆｍ）の前記勾配と同じ程度の強度であることを特徴とする請求項６に記載のデバイス。
【請求項８】
各画素は、導電状態と非導電状態との間で切り替えられることができるそれぞれの構成部品、例えばトランジスタによって制御されることを特徴とする請求項１から７のいずれか一項に記載のデバイス。
【請求項９】
前記制御信号は、行パルスと列信号との間の電圧差に対応し、前記行パルスは複数のレベルを有し、前記列信号の持続時間は前記行パルスの最終レベルの持続時間より短いことを特徴とする請求項１から８のいずれか一項に記載のデバイス。
【請求項１０】
前記列信号は、方形波の形態であることを特徴とする請求項１から９のいずれか一項に記載のデバイス。
【請求項１１】
前記列信号は、傾斜の形態であることを特徴とする請求項１から９のいずれか一項に記載のデバイス。
【請求項１２】
前記列信号は、２つの連続するレベルを有することを特徴とする請求項１から９のいずれか一項に記載のデバイス。
【請求項１３】
前記アドレス指定手段は、ゼロの中間値を有する信号を各画素に生成するように適合されることを特徴とする請求項１から１２のいずれか一項に記載のデバイス。
【請求項１４】
前記アドレス指定手段は、連続する反対極性を有する信号を各画素に生成するように適合されることを特徴とする請求項１から１３のいずれか一項に記載のデバイス。
【請求項１５】
前記アドレス指定手段は、反対極性の連続する行および列信号を生成するように適合されることを特徴とする請求項１から１３のいずれか一項に記載のデバイス。
【請求項１６】
前記アドレス指定手段は、各画像で反転される信号を各画素に生成するように適合されることを特徴とする請求項１から１３のいずれか一項に記載のデバイス。
【請求項１７】
前記アドレス指定手段は、全ての行および列信号に共通電圧ＶＭを追加するように適合されることを特徴とする請求項１から１３のいずれか一項に記載のデバイス。
【請求項１８】
前記アドレス指定手段は、列電圧を印加するために必要な時間より長いまたは等しい持続期間に関して時間においてオフセットされる同様の行信号を同時に使用して、複数の行をアドレス指定するように適合されることを特徴とする請求項１から１７のいずれか一項に記載のデバイス。
【請求項１９】
前記列信号の終わりが、前記行信号の終わりに同期されることを特徴とする請求項１から１８のいずれか一項に記載のデバイス。
【請求項２０】
τＣ≦τＤ＜τＬであり、以下の関係であり、
τＤは、２つの行信号間でオフセットされる時間を表し、
τＬは、アンカリングを壊す段階および組織を選択する段階を少なくとも含む行アドレス指定時間を表し、
τＣは、列信号の前記持続期間を表すことを特徴とする請求項１８または１９に記載のデバイス。
【請求項２１】
前記制御信号は、少なくとも第１のステップを含み、前記第１のステップの間に、前記信号は、少なくとも１つの画素のパケット、好ましくは行画素のパケットを集合的に同一の状態に切り替えるように適合されることを特徴とする請求項１から２０のいずれか一項に記載のデバイス。
【請求項２２】
前記第１のステップの信号は、好ましくは行画素の前記パケットを「困難」である状態に切り替えるように適合されることを特徴とする請求項２１に記載のデバイス。
【請求項２３】
前記第１のステップの信号は、傾斜する立ち上がりエッジを表すことを特徴とする請求項２１または２２に記載のデバイス。
【請求項２４】
前記制御信号は、第２のステップを含み、前記第２のステップの間に、ディスプレイ全体が、各画素を選択されたそれぞれの状態に切り替えるために多重化されたモードでアドレス指定されることを特徴とする請求項２１から２３のいずれか一項に記載のデバイス。
【請求項２５】
前記第２のステップの信号は、所定の選択された画素、好ましくは行を容易な状態に切り替えるように適合されることを特徴とする請求項２１から２４のいずれか一項に記載のデバイス。
【請求項２６】
前記第２のステップの信号は、傾斜する立ち上がりエッジを表すことを特徴とする請求項２１から２５のいずれか一項に記載のデバイス。
【請求項２７】
前記第１のステップの信号は、全ての画素、好ましくは行に同時に印加されることを特徴とする請求項２１から２６のいずれか一項に記載のデバイス。
【請求項２８】
画素信号選択段階の前記降下エッジは、均一な状態を得るために直線的な傾斜によって形成されることを特徴とする請求項１から２７のいずれか一項に記載のデバイス。
【請求項２９】
画素信号選択段階の前記降下エッジは、均一な状態を得るために単一の中間レベル方形波信号によって形成されることを特徴とする請求項１から２７のいずれか一項に記載のデバイス。
【請求項３０】
画素信号選択段階の前記降下エッジは、均一な状態を得るために２つの連続レベルを有する方形波信号によって形成されることを特徴とする請求項１から２７のいずれか一項に記載のデバイス。
【請求項３１】
画素信号選択段階の前記降下エッジは、均一な状態を得るために、降下する傾斜が続き、それ自体が急激な降下エッジが続く中間レベルを含む信号によって作られることを特徴とする請求項１から２７のいずれか一項に記載のデバイス。
【請求項３２】
画素信号選択段階の前記降下エッジは、均一な状態を得るために３つの連続レベルを有する方形波信号によって形成されることを特徴とする請求項１から２７のいずれか一項に記載のデバイス。
【請求項３３】
画素信号選択段階の前記降下エッジは、ねじれた状態を得るために急激なエッジによって形成されることを特徴とする請求項１から３２のいずれか一項に記載のデバイス。
【請求項３４】
画素信号選択段階の前記降下エッジは、ねじれた状態を得るために単一の中間レベル方形波信号によって形成されることを特徴とする請求項１から３２のいずれか一項に記載のデバイス。
【請求項３５】
画素信号選択段階の前記降下エッジは、ねじれた状態を得るために２つの連続レベルを有する方形波信号によって形成され、これら連続レベルの第２のレベルは、第１のレベルより大きな強度を有することを特徴とする請求項１から３２のいずれか一項に記載のデバイス。
【請求項３６】
画素信号選択段階の前記降下エッジは、ねじれた状態を得るために、上昇する傾斜が続き、それ自体が急激な降下エッジが続く中間レベルを含む信号によって形成されることを特徴とする請求項１から３２のいずれか一項に記載のデバイス。
【請求項３７】
画素信号選択段階の前記降下エッジは、ねじれた状態を得るために、あるレベルから後続するレベルに強度がそれぞれ増大する３つの連続レベルを有する方形波信号によって形成されることを特徴とする請求項１から３２のいずれか一項に記載のデバイス。
【請求項３８】
前記アドレス指定手段（５６）は、傾斜する立ち上がりエッジと、単一の中間レベルを含む方形波の降下エッジとを含む、行信号を生成するように適合されることを特徴とする請求項１から３７のいずれか一項に記載のデバイス。
【請求項３９】
前記アドレス指定手段（５６）は、アンカリングを壊すためのレベルが続く傾斜する立ち上がりエッジ、レベルが続く傾斜する降下エッジ、および分離する目的のための急な低下を含む行信号を生成するように適合されることを特徴とする請求項１から３７のいずれか一項に記載のデバイス。
【請求項４０】
前記アドレス指定手段（５６）は、単一の方形波パルスの形態の列信号を生成するように適合されることを特徴とする請求項１から３９のいずれか一項に記載のデバイス。
【請求項４１】
前記アドレス指定手段（５６）は、それぞれ傾斜して立ち上がるエッジと、急激に降下するエッジとを有する信号の形態での列信号を生成するように適合されることを特徴とする請求項１から３９のいずれか一項に記載のデバイス。
【請求項４２】
前記アドレス指定手段（５６）は、第２のレベルが、第１のレベルより大きな強度である、２つのレベルを有する方形波信号の形態の列信号を生成するように適合されることを特徴とする請求項１から３９のいずれか一項に記載のデバイス。
【請求項４３】
前記アドレス指定手段（５６）は、それぞれ傾斜して立ち上がるエッジを有するパルスの形態であり、そのレベルが急激に降下するエッジで終了する列信号を生成するように適合されることを特徴とする請求項１から３９のいずれか一項に記載のデバイス。
【請求項４４】
前記デバイスは、行及び列のマトリクスの形態における複数の画素を備え、前記制御信号は、前記行パルスと前記列信号の間の電圧差に対応し、
前記アドレス指定手段（５６）は、アナログ・スイッチ（Ｃｏ１からＣｏ１０）を備え、前記アナログ・スイッチは、２つの電圧ＶＬ（ｔ）または０Ｖから１つの電圧を切り替えて行信号を生成し、かつ３つの電圧＋Ｃ（ｔ）、−Ｃ（ｔ）、または０Ｖから１つの電圧を切り替えて列信号を生成するように適合されることを特徴とする請求項１から４３のいずれか一項に記載のデバイス。
【請求項４５】
前記アドレス指定手段（５６）は、行の数の２倍に、列の数の３倍を加えた数に等しい数のアナログ・スイッチを備えることを特徴とする請求項４４に記載のデバイス。
【請求項４６】
前記アナログ・スイッチは、時間で変化するアナログ信号（ＶＬ（ｔ）、＋Ｃ（ｔ）、及び−Ｃ（ｔ））が供給されることを特徴とする請求項４４または４５に記載のデバイス。
【請求項４７】
前記アドレス指定手段（５６）は、一定電圧（Ｖ１、Ｖ２、＋Ｃ、Ｖｏ＋Ｃ、−Ｃ、Ｖｏ−Ｃ）によって給電されるアナログ・スイッチを含むことを特徴とする請求項４４又は４５のいずれか一項に記載のデバイス。
【請求項４８】
前記アドレス指定手段（５６）は、各行に関して、２つの相補的トランジスタ（６０、６２）を含む制御回路を備え、相補的トランジスタの主導電経路は、接地と、交互に電圧Ｖ１またはＶ２を受けることができる電源端子（６４）との間に直列に接続されることを特徴とする請求項１から４７のいずれか一項に記載のデバイス。
【請求項４９】
電源端子（６４）は、正信号のための電圧Ｖ１およびＶ２と、負信号のための電圧０ＶおよびＶ１−Ｖ２を受けることを特徴とする請求項４８に記載のデバイス。
【請求項５０】
前記アドレス指定手段（５６）は、各列に関して、３つのトランジスタ（７０、７２、７８）を有する制御回路を備え、その２つのトランジスタ（７０、７２）は、交互に電圧＋ＣまたはＶ０＋Ｃを受けるのに適した電源端子（７４）と、交互に電圧−ＣまたはＶ０−Ｃを受けるのに適した電源端子（７６）との間に直列に接続された主導電経路を有し、第３のトランジスタ（７８）は、その主導電経路が、２つの前記トランジスタ（７０、７２）の共通点と、交互に電圧０ＶとＶ０を受けるのに適した電源端子（７９）との間に配置されることを特徴とする請求項１から４９のいずれか一項に記載のデバイス。
【請求項５１】
アンカリングを壊すことを含む双安定性のネマティック液晶マトリクス・スクリーンを電気的に制御する方法において、マトリクス・スクリーンに、０．１Ｖ／μｓから０．００５Ｖ／μｓの範囲にあり、持続時間が３００μｓより長い勾配を呈する傾斜して立ち上がるエッジを有するアドレス指定および制御信号を生成しかつ印加することを含むことを特徴とする方法。